(57)【要約】【課題】柱状物の形状、太さおよび表面性状にかかわらず、旗または小型看板等を取り付けることができ、その取り替え作業が容易で、取り外した後に痕跡を残して美感を損なうことがない簡便な取付補助具を提供する。【解決手段】取付補助具１は、いずれも折り曲げ自在な第１部材５および第２部材６の２つの部材で構成されそれぞれが備える接合面１１，１２同士が接合分離自在な固定部と、粘着テープが貼り付け可能な貼付面を備えた保持用部材４と、を有し、第１部材の接合面と第２部材の接合面とが互いに逆側を向き、かつ貼付面の全部または一部を露出させて、第１部材、保持用部材および第２部材がこの記載順に並べて連結されている。【選択図】    図１
0003152683.tif 000002
【実用新案登録請求の範囲】
【請求項１】
いずれも折り曲げ自在な第１部材および第２部材の２つの部材で構成されそれぞれが備える接合面同士が接合分離自在な固定部と、
粘着テープが貼り付け可能な貼付面を備えた保持用部材と、を有し、
前記第１部材の前記接合面と前記第２部材の前記接合面とが互いに逆側を向き、かつ前記貼付面の全部または一部を露出させて、前記第１部材、保持用部材および前記第２部材がこの記載順に並べて連結されている、
ことを特徴とする取付補助具。
【請求項２】
前記保持用部材は、前記第１部材および前記第２部材よりも折り曲げ難い硬さを有する
請求項１に記載の取付補助具。
【請求項３】
前記固定部を２組有し、
前記固定部が平行に配され一方の前記固定部の前記第１部材および前記第２部材、他方の前記固定部の前記第１部材および前記第２部材、ならびに前記保持用部材がＨ字状になるように連結されている
請求項２に記載の取付補助具。
【考案の詳細な説明】
【技術分野】
【０００１】
本考案は、例えば商品広告、イベント等を記した旗または小型看板等を固定物に取り付けるための取付補助具に関する。
【背景技術】
【０００２】
スーパー等の小売店舗およびパチンコ店等の遊戯場においては、展示商品の販売を促進しまたは客を呼び寄せる等の目的で、商品情報またはキャンペーン情報が記載された幟、旗、小型看板等のＰＯＰ(point of purchase）広告が用いられている。
かかるＰＯＰ広告は、その性質から頻繁に取り替える必要があるため、一般には両面粘着テープを用いて陳列台や構造物へ取り付けられている。
ところで、最近のパチンコ店では、遊技終了後に玉箱をカウンターに運び球数を計数する従来方式に換えて、出玉を含め個々のパチンコ台ごとにリアルタイムに玉数を表示（計数管理）するパーソナルシステムが、急速に広まっている。
【０００３】
かかるパーソナルシステムは、パチンコ店にとっては、従業員による計数のための出玉の運搬作業をなくし、また循環する玉の数を減らすことができるというメリットがある。
また、大当たり等の出玉が入った玉箱を客席の足下に積む必要がなく、かつ玉箱を台車等で運搬する必要もないことから、客席足下周りのスペースを、パチンコ店の宣伝、タイアップ商品の紹介等を行うＰＯＰ広告に活用することも可能となってきており、かかるスペースをＰＯＰ広告に有効活用できれば、宣伝効果の増大が期待できる。
【考案の概要】
【考案が解決しようとする課題】
【０００４】
上述のように、ＰＯＰ広告は、一般には両面粘着テープ等の手段を用いて陳列台や構造物へ取り付けられるが、一旦粘着テープで構造物等に強固に取付られたＰＯＰ広告の頻繁な取り替え作業は繁雑であり、また粘着テープの一部が構造物に残存して美感を損なう等の欠点がある。しかも、粘着テープは、平面への取り付けには向いているが、取り付け対象部位が曲面または粗面である場合には不向きである。
一方、パチンコ店の客席足下周りのスペースをＰＯＰ広告に有効活用しようとしても、客席足下周りには、座席の支柱がある程度で、ＰＯＰ広告の取り付け対象となる被取付体が存在しないので、床面に取付スタンド等の什器を別途設置する必要がある。什器を別途設置せずに座席の支柱に対して両面粘着テープを用いてＰＯＰ広告を取り付けることも考えられるが、座席の支柱は、通常、円柱形や円錐形であり、支柱回りに模様があることも多く、両面粘着テープを用いて取り付けるには不向きであった。
【０００５】
そこで、本考案は、このような問題に鑑みてなされたもので、特に座席の支柱や構造物の既設の柱等の柱状物に対して、その柱状物の形状、太さおよび表面性状にかかわらず、旗または小型看板等を取り付けることができ、その取り替え作業が容易で、取り外した後に痕跡を残して美感を損なうことがない簡便な取付補助具を提供することを目的とする。
【課題を解決するための手段】
【０００６】
本考案に係る取付補助具は、いずれも折り曲げ自在な第１部材および第２部材の２つの部材で構成されそれぞれが備える接合面同士が接合分離自在な固定部と、粘着テープが貼り付け可能な貼付面を備えた保持用部材と、を有し、前記第１部材の前記接合面と前記第２部材の前記接合面とが互いに逆側を向き、かつ前記貼付面の全部または一部を露出させて、前記第１部材、保持用部材および前記第２部材がこの記載順に並べて連結されている。
好ましくは、前記保持用部材は、前記第１部材および前記第２部材よりも折り曲げ難い硬さを有する。
【０００７】
さらに好ましくは、前記固定部を２組有し、前記固定部が平行に配され一方の前記固定部の前記第１部材および前記第２部材、他方の前記固定部の前記第１部材および前記第２部材、ならびに前記保持用部材がＨ字状になるように連結されている。
【考案の効果】
【０００８】
本考案によると、柱状物の形状、太さおよび表面性状にかかわらず、旗または小型看板等を取り付けることができ、その取り替え作業が容易で、取り外した後に痕跡を残して美感を損なうことがない簡便な取付補助具を提供することができる。
【図面の簡単な説明】
【０００９】
【図１】図１は本考案に係る取付補助具を示す図である。
【図２】図２はフラッグスタンドの斜視図である。
【図３】図３は取付補助具およびフラッグスタンドにより旗を椅子に取り付けた様子を示す図である。
【考案を実施するための形態】
【００１０】
図１は本考案に係る取付補助具１を示す図、図２はフラッグスタンド９の斜視図である。
図１において（ａ）は正面図、（ｂ）は背面図および（ｃ）は斜視図である。
取付補助具１は、第１固定部２、第２固定部３およびスタンド保持部４からなる。
第１固定部２は、いずれも折り曲げ自在なテープ（帯）状の１組の面ファスナーで形成される。面ファスナーは、細い樹脂繊維がループ状に起毛されたループ面１１を有するループ側部材５、および細い樹脂繊維がフック状に起毛されたフック面１２を有するフック側部材６の組み合わせである。面ファスナーは、フック面１２の無数のフックがループ面１１のループに入り込んでループ側部材５とフック側部材６とが接合され、これらを引きはがすことによりループがフックから抜け出ることにより分離する。面ファスナーを構成するループ側部材５およびフック側部材６は、折り曲げ自在である。
【００１１】
第２固定部３は、第１固定部２と同様に、いずれもテープ（帯）状の１組の面ファスナーで形成される。第２固定部３は、第１固定部２と同じ構成である。
スタンド保持部４は、形状が矩形の樹脂シートで形成され、変形を抑えるために厚めのシートが使用される。
取付補助具１は、第１固定部２、第２固定部およびスタンド保持部４それぞれの各部材が次のように組み合わされている。
第１固定部２は、ループ側部材５の端部とフック側部材６の端部とが、ループ面１１とフック面１２とを対向させ長手方向を揃え重ね合わされて、スタンド保持部４の長手方向の一方の端に固定されている。また、第２固定部３も、第１固定部２と同様にして、スタンド保持部４の長手方向の他方の端に固定されている。第１固定部２および第２固定部３におけるループ面１１とフック面１２とが重なる部分は、スタンド保持部４の同じ側の面に固定される。スタンド保持部４に固定された第１固定部２および第２固定部３は、その長手方向がスタンド保持部４の長手方向と直交している。
【００１２】
取付補助具１において、第１固定部２と第２固定部３とは平行である。第１固定部２と第２固定部３とは、スタンド保持部４が保持する物の大きさおよび重さに応じた適切な距離を有する。スタンド保持部４が保持する物の大きさおよび重さのいずれかが大である場合は、第１固定部２と第２固定部３との間が大きくされる。
取付補助具１は、第１固定部２、第２固定部およびスタンド保持部４の一体化が、２箇所１５，１５のミシン縫いにより行われている。
このように形成された取付補助具１は、第１固定部２，第２固定部３およびスタンド保持部４がＨ字状となっている。
【００１３】
取付補助具１は、種々の取付具を取り付けることができる。次に、取付具の例として旗Ｆを保持するフラッグスタンド９について説明する。
図２を参照して、フラッグスタンド９は、基部１６および旗保持部１７からなる。
基部１６は、板状の部材で形成され、間隔を有して平行に配された支持部１８ａ，１８ｂ、および両端がそれぞれ両支持部１８ａ，１８ｂに連続する接合部１９からなる。
一方の支持部１８ａにおける接合部１９に連続する端から他端までの距離は、他方の支持部１８ｂにおける接合部１９に連続する端から他端までの距離よりも長い。また、一方の支持部１８ａは接合部１９と鋭角を形成し、他方の支持部１８ｂは接合部１９と鈍角を形成している。
【００１４】
接合部１９の外側の面（支持部１８ａ，１８ｂが拡がる側の面と反対側の面）には、両面テープ２１が貼り付けられている。
旗保持部１７は、一端が閉じられた円管であり、開放側の端が、ろうと（漏斗）状に拡がっている。旗保持部１７は、一方の支持部１８ａを直交して貫通し、閉じられた端が他方の支持部１８ｂに固定されている。旗保持部１７がこのように基部１６と一体化されていることにより、接合部１９が拡がる方向と旗保持部１７の軸心とは鋭角を形成する。
図３は取付補助具１およびフラッグスタンド９により旗Ｆを椅子１０に取り付けた様子を示す図である。
【００１５】
一般に、パチンコ店では椅子１０の脚２２は床に固定される。このような床に固定された椅子１０は断面が円形の１つの脚２２を有する。取付補助具１は、このような椅子１０に、第１固定部２および第２固定部３におけるループ面１１とフック面１２とが重なる側の面を内側にして第１固定部２および第２固定部３を脚２２に巻き付け、それぞれのループ側部材５，５とフック側部材６，６とを接合させることにより取り付けられる。
フラッグスタンド９は、その両面テープ２１の保護シートを除き、粘着面をスタンド保持部４の外面に貼り付けることにより、取付補助具１に保持される。このとき、フラッグスタンド９は、より長い一方の支持部１８ａが上にされる。
【００１６】
旗保持部１７には、ろうと状に拡がる開放側の端から旗Ｆのポールが差し入れられ、取付補助具１は、フラッグスタンド９を保持することにより、旗Ｆを椅子１０に取り付ける補助を行う。
フラッグスタンド９において接合部１９が拡がる方向と旗保持部１７の軸心とは鋭角を形成するので、旗保持部１７に保持された旗Ｆのポールは、適度な角度で通路側に傾斜し、旗Ｆに記された宣伝等の内容を、通行者にアピールすることができる。
取付補助具１は、第１固定部２におけるループ側部材５とフック側部材６とがそれぞれの端部を重ね合わせて２箇所１５，１５で縫い合わされている。この縫い合わせ箇所１５，１５間には、ループ面１１およびフック面１２との間に隙間２３が形成されている。取付補助具１は、このループ面１１およびフック面１２との間の隙間２３に、軽量の小型看板等を保持させることができる。
【００１７】
取付補助具１は、パチンコ店における椅子１０の脚２２の他、例えば街路灯のポール、ガードパイプ（歩道と車道を区切るガードレール支持用パイプ）等に使用することができる。
上述の実施形態において、各面ファスナーのループ面１１およびフック面１２を、それぞれ対となるフック面およびループ面に置き換えてもよい。取付補助具１は、フラッグスタンド９以外の他の取付具と組み合わせることができる。第１固定部２および第２固定部３を、全体をループ側部材５およびフック側部材６のいずれかで形成するのではなく、テープ状の基材の一部にそれぞれループ側部材５およびフック側部材６を縫い合わせて形成してもよい。また、取付補助具を、第１固定部２および第２固定部３を併せた、幅広の１つの面ファスナーで形成してもよい。
【００１８】
その他、取付補助具１、および取付補助具１の各構成または全体の構造、形状、寸法、個数、材質などは、本考案の趣旨に沿って適宜変更することができる。
【産業上の利用可能性】
【００１９】
本考案は、例えば商品広告、イベント等を記した旗または小型看板等を固定物に取り付けるための取付補助具に利用することができる。
【符号の説明】
【００２０】
１  取付補助具
２  固定部（第１固定部）
３  固定部（第２固定部）
４  保持用部材（スタンド保持部）
５  第１部材（ループ側部材）
６  第２部材（フック側部材）
１１  第１部材の接合面（ループ面）
１２  第２部材の接合面（フック面）
【図１】
0003152683.tif 000003
【図２】
0003152683.tif 000004
【図３】
0003152683.tif 000005